(57)【要約】【課題】掲示用印刷物をカバーパネルと支持パネルとの間に差し入れてセットするとき、作業を手際よく行うことができると共に斜めにセットすることがなく、加えて一旦セットした後においてすり抜けて落ちてしまうことを防ぐことができる。【解決手段】方形の支持パネル２と、透明で、該支持パネル２と略同大の方形のカバーパネル７とを、その上辺部において接合せしめて印刷物掲示用パネル１とする。支持パネル２は、前面における下辺２ａの両端部に磁石３、３を取着する。該両磁石３、３との間に所定の厚味を有する規制用磁石４、４を取着すると共に、左右側辺２ｂ、２ｃの夫々にも規制用磁石５、５を取着する。カバーパネル７は、背面における下辺７ａの両端部に磁性体８、８を取着する。該磁性体８、８との間に規制用磁石９、９を取着すると共に、左右側辺７ｂ、７ｃの夫々にも規制用磁石１０、１０を取着する。更に上下、左右の周縁部に内部不透視用の着色１１を施す。【選択図】図３
0003162996.tif 000002
【実用新案登録請求の範囲】
【請求項１】
方形をなし、前面における下辺の両端部に磁石又は磁性体を取着する一方、下辺における前記両磁石又は磁性体との間に該下辺に沿った所定の厚味を有する規制用磁石を取着すると共に、左右側辺に夫々所定の間隔で該側辺に沿った規制用磁石を取着した支持パネルと、柔軟性を有する透明な樹脂をもって制作した、前記支持パネルと略同大の方形をなし、背面における下辺の両端部に前記支持パネルの磁石又は磁性体に吸着する磁性体又は磁石を取着する一方、下辺における前記両磁性体又は磁石との間に該下辺に沿って前記支持パネルの下辺の規制用磁石に吸着する規制用磁石を取着すると共に、左右側辺に夫々前記支持パネルの左右側辺の規制用磁石に吸着する規制用磁石を取着し、更に上下、左右の周縁部に内部不透視用の着色を施したカバーパネルとからなり、前記支持パネルとカバーパネルとをその上辺部において接合せしめてなる印刷物掲示用パネル。
【請求項２】
磁石がネオジューム磁石である請求項１記載の印刷物掲示用パネル。
【請求項３】
カバーパネルを、その左右側辺と下辺において支持パネルより僅かに食み出す大きさとなした請求項１又は２記載の印刷物掲示用パネル。
【考案の詳細な説明】
【技術分野】
【０００１】
本考案は印刷物掲示用パネルに関するものである。
【背景技術】
【０００２】
ポスター等の印刷物の掲示用パネルは、従来種々のものが案出されており、そして、特にそれらの中において前面側において簡単に掲示用印刷物の交換ができ、而も廉価にて製作できるものとして、一端部を接合した二枚のパネル間に掲示用印刷物を挟み込むタイプのものがある。
【０００３】
そしてまた、斯かるタイプのものにおいては、透明な前面側のカバーパネルと背面側の支持パネルとの閉じた状態を保持する手段として磁石の吸着力を利用したものが多い。
【０００４】
しかし、斯かる従来のものは、掲示用印刷物をカバーパネルと支持パネルとの間に差し入れてセットするとき、その向きや位置を規制するものが存在しないことから、作業に手間どり、急ぐと斜めの状態のままセットしてしまうこともあった。また、一旦セットした後で、カバーパネルと支持パネルの隙間からすり抜けて落ちてしまうこともあった。
【考案の概要】
【考案が解決しようとする課題】
【０００５】
本考案は上記の点に鑑みなされたものであって、掲示用印刷物をカバーパネルと支持パネルとの間に差し入れてセットするとき、支持パネルの左右側辺と下辺に取着した規制用磁石によって、セットする掲示用印刷物の向きや位置を規制し、もって作業を手際よく行うことができると共に斜めにセットすることがなく、加えて従来の如く一旦セットした後においてすり抜けて落ちてしまうという問題点をも解消することができるようになした印刷物掲示用パネルを提供しようとするものである。
【課題を解決するための手段】
【０００６】
而して、本考案の要旨とするところは、方形をなし、前面における下辺の両端部に磁石又は磁性体を取着する一方、下辺における前記両磁石又は磁性体との間に該下辺に沿った所定の厚味を有する規制用磁石を取着すると共に、左右側辺に夫々所定の間隔で該側辺に沿った規制用磁石を取着した支持パネルと、柔軟性を有する透明な樹脂をもって制作した、前記支持パネルと略同大の方形をなし、背面における下辺の両端部に前記支持パネルの磁石又は磁性体に吸着する磁性体又は磁石を取着する一方、下辺における前記両磁性体又は磁石との間に該下辺に沿って前記支持パネルの下辺の規制用磁石に吸着する規制用磁石を取着すると共に、左右側辺に夫々前記支持パネルの左右側辺の規制用磁石に吸着する規制用磁石を取着し、更に上下、左右の周縁部に内部不透視用の着色を施したカバーパネルとからなり、前記支持パネルとカバーパネルとをその上辺部において接合せしめてなる印刷物掲示用パネルにある。
【０００７】
また、上記構成において、磁石としてはネオジューム磁石を用いることが好ましい。
【０００８】
また、上記構成において、カバーパネルを、その左右側辺と下辺において支持パネルより僅かに食み出す大きさとなすことが好ましい。
【考案の効果】
【０００９】
本考案は上記の如き構成であるから、掲示用印刷物をカバーパネルと支持パネルとの間に差し入れてセットするとき、支持パネルの左右側辺と下辺に取着した規制用磁石によって、セットする掲示用印刷物の向きや位置を規制し、もって作業を手際よく行うことができると共に斜めにセットすることがなく、加えて従来の如く一旦セットした後においてすり抜けて落ちてしまうという問題点をも解消することができるものである。
【００１０】
また、カバーパネルを、その左右側辺と下辺において支持パネルより僅かに食み出す大きさとなした場合には、カバーパネルの出っ張った縁を指で摘み易くなり、もってカバーパネルの開閉作業がし易くなる。
【図面の簡単な説明】
【００１１】
【図１】本考案の第１実施形態に係る印刷物掲示用パネルの正面図である。
【図２】同背面図である。
【図３】同カバーパネルを開いた状態の斜視図である。
【図４】本考案の第２実施形態に係る印刷物掲示用パネルのカバーパネルの一部を切欠して示した正面図である。
【考案を実施するための形態】
【００１２】
以下、本考案を実施するための形態について、図面を参照して説明する。
【００１３】
図中、１は印刷物掲示用パネルである。２は樹脂をもって製作した該印刷物掲示用パネル１における支持パネルであり、縦長としたものである。また、該支持パネル２は、方形をなし、前面２Ａにおける下辺２ａの両端部に磁石３、３を取着する一方、下辺２ａにおける前記両磁石３、３との間に該下辺２ａに沿った所定の厚味を有する帯状の規制用磁石４、４を取着すると共に、左右側辺２ｂ、２ｃに夫々所定の間隔で該側辺２ｂ、２ｃに沿った帯状の規制用磁石５、５を取着してなるものである。また、該支持パネル２の壁面への取り付けには適宜の手段をもって行えばよく、本実施形態においては両面粘着テープ６を用いて行っている。即ち、本実施形態においては支持パネル２の背面２Ｂに上下方向に等間隔に両面粘着テープ６、６、６を貼着し、これをもって壁面に貼着している。
【００１４】
また、前記磁石３、３は、本実施形態においては吸着力の強いネオジューム磁石を用いている。
【００１５】
７は前記印刷物掲示用パネル１におけるカバーパネルであり、柔軟性を有する透明な樹脂をもって製作している。また、該カバーパネル７は、前記支持パネル２と略同大の方形をなし、背面７Ｂにおける下辺７ａの両端部に前記支持パネル２の磁石３、３に吸着する磁性体（鉄片）８、８を取着する一方、下辺７ａにおける前記両磁性体８、８との間に該下辺７ａに沿って前記支持パネル２の下辺２ａの帯状の規制用磁石４、４に吸着する帯状の規制用磁石９、９を取着すると共に、左右側辺７ｂ、７ｃに夫々前記支持パネル２の左右側辺の帯状の規制用磁石５、５に吸着する帯状の規制用磁石１０、１０を取着し、更に上下、左右の周縁部に内部不透視用の着色１１を施してなるものである。また、該カバーパネル７は、本実施形態においては、その左右側辺７ｂ、７ｃと下辺７ａにおいて支持パネル２より僅かに食み出す大きさとなしている。
【００１６】
そして、前記支持パネル２とカバーパネル７とは、その上辺部において接合せしめており、本実施形態においてはこの接合に両面粘着テープ１２を用いている。
【００１７】
尚、本実施形態においては、磁石３、３を支持パネル２に、また磁性体８、８をカバーパネル７に夫々取着したものを示したが、これらは逆の配置にしてもよい。
【００１８】
次に、本実施形態の作用について説明する。
掲示用印刷物（図示せず。）をセットするときには、カバーパネル７を開いて支持パネル２との間に差し入れるが、このとき掲示用印刷物を、支持パネル２の左右の側辺２ｂ、２ｃの帯状の規制用磁石５、５と下辺２ａの帯状の規制用磁石４、４とで囲むように形成された規制枠の中に収めるようにするものである。これにより掲示用印刷物のセットを手際よく行うことができると共に斜めにセットすることもなくなるものである。加えて従来の如く一旦セットした後においてすり抜けて落ちてしまうという問題点をも解消することができるものである。
【００１９】
次に、図４に示す本考案の第２実施形態について説明する。
本実施形態は、支持パネルとカバーパネルを横長になしたものであり、以下の点において前記第１実施形態と相違している。尚、その他の構成は前記第１実施形態と同様であるから、同一の部材には同一の符号を付して詳細な説明は省略する。
【００２０】
而して、本実施形態においては、支持パネル２の上辺２ｄの両端部に磁石１３、１３を取着する一方、カバーパネル７の上辺７ｄの両端部に前記磁石１３、１３に吸着する磁性体（鉄片）１４、１４を取着している。また支持パネル２とカバーパネル７の上辺部の接合は、両面粘着テープ１２を用いて中央部のみにおいて行っている。
【００２１】
本実施形態において掲示用印刷物をセットする場合には、例えば、カバーパネル７の右側の半分を開いて掲示用印刷物をその左端から支持パネル２との間に差し入れ、そしてカバーパネル７の右側半分を閉じた後反対側の左側半分を開き、掲示用印刷物の左端を引っ張ってずらすものである。また、このとき掲示用印刷物の下縁部は帯状の規制用磁石４、４が下支えになっているから、別の人の手を借りずに済むものである。したがって、大版の印刷物でも一人でもって作業を行うことができるものである。
【００２２】
本実施形態においても前記第１実施形態と同様の効果を奏するものである。
【符号の説明】
【００２３】
１  印刷物掲示用パネル
２  支持パネル
３、３  磁石
４、４  帯状の規制用磁石
５、５  帯状の規制用磁石
６、６  両面粘着テープ
７  カバーパネル
８、８  磁性体
９、９  帯状の規制用磁石
１０、１０  帯状の規制用磁石
１１  内部不透視用の着色
１２、１２  両面粘着テープ
１３、１３  磁石
１４、１４  磁性体
【図１】
0003162996.tif 000003
【図２】
0003162996.tif 000004
【図３】
0003162996.tif 000005
【図４】
0003162996.tif 000006